(57)【要約】【課題】装置構成を複雑化することなく、正確なタッチ判定を可能とした、電気光学装置、及び電子機器を提供する。【解決手段】基板１０上にマトリクス状に配置された複数の画素１２からなる表示部１１と、表示部１１に少なくとも一次元配列された光検出装置と、光検出装置が検出した光強度の微分値を所定の閾値と比較することにより、表示部がタッチされたか否かを判定するタッチ判定手段とを備えた電気光学装置１００である。【選択図】図１
2008146203.tif 000002
【特許請求の範囲】
【請求項１】
基板上にマトリクス状に配置された複数の画素からなる表示部と、
前記表示部に少なくとも一次元配列された光検出装置と、
該光検出装置が検出した光強度の微分値を所定の閾値と比較することにより、前記表示部がタッチされたか否かを判定するタッチ判定手段と、を備えたことを特徴とする電気光学装置。
【請求項２】
前記タッチ判定手段は、前記光検出装置が検出した光強度の絶対値に基づいて前記所定の閾値を調整し、前記微分値と調整後の閾値とを比較することで前記タッチ判定を行うことを特徴とする請求項１に記載の電気光学装置。
【請求項３】
前記タッチ判定手段は、前記光強度の微分値及び絶対値の少なくとも一方におけるピーク検出座標が所定範囲内に収まっている場合にタッチが行われたと判定することを特徴とする請求項２に記載の電気光学装置。
【請求項４】
前記光検出装置は、前記表示部に二次元配列された状態に設けられることを特徴とする請求項１〜３のいずれか一項に記載の電気光学装置。
【請求項５】
前記タッチ判定手段は、光強度の微分値から得た二次元データをメモリに取り込み、該二次元データに基づいて前記タッチ判定を行うことを特徴とする請求項１〜４のいずれか一項に記載の電気光学装置。
【請求項６】
前記タッチ判定手段は、隣接して配置された光検出装置の出力値の差分を出力する増幅器と、差分出力値と当該タッチ判定手段に保持された所定値とを比較する比較器とを備え、該比較器の出力に基づいてタッチ判定を行うことを特徴とする請求項１〜３のいずれか一項に記載の電気光学装置。
【請求項７】
前記光検出装置は、前記表示部に二次元配列されてなることを特徴とする請求項６に記載の電気光学装置。
【請求項８】
前記タッチ判定手段は、前記比較器の出力値が前記二次元方向の両側にて所定値を超えた場合に、タッチが行われたと判定することを特徴とする請求項７に記載の電気光学装置。
【請求項９】
請求項１〜８のいずれか一項に記載の電気光学装置を備えたことを特徴とする電子機器。
【発明の詳細な説明】
【技術分野】
【０００１】
本発明は、電気光学装置、及び電子機器に関するものである。
【背景技術】
【０００２】
タッチパネルとは、パーソナルコンピュータ、携帯情報端末（ＰＤＡ）等の電子機器における表示部（電気光学装置）の補助的な入力装置であり、パネル表面の所望の位置をオペレータがペンや指で触れることにより、電子機器が要求するデータの入力指示するものである。
【０００３】
従来のタッチパネルの検出方式としては、例えば光学式のものが知られている。光検出方式のタッチパネルは接触対象物の陰影の絶対値を基準に接触の有無を判定していた。ところが、外光や表示パネル内部の迷光等がノイズとなり、正確なタッチ検出が出来ないという問題を有していた。
【０００４】
このような問題を解決する方法として、表示素子と光検出素子との間に障壁を設け、迷光を抑える方法や、光のスペクトルを検出して識別を行う方法がある（例えば、特許文献１参照）。また、このようなタッチパネルでは、光検出素子としてフォトセンサを用い、フォトセンサが測定した絶対値に基づいてタッチ判定を行うものがある（例えば、特許文献２参照）。
【特許文献１】特開２００６−７９４９９号公報
【特許文献２】特開２００６−７９５８９号公報
【発明の開示】
【発明が解決しようとする課題】
【０００５】
しかしながら、上記特許文献１のように、パネル内部の迷光を抑え正確なタッチ判定を行うためには、基板の内部構造が複雑化してしまう。また、上記特許文献２のように、フォトセンサの絶対値のみを検出する方法では、外光等の外部要因により正確な接触判定を行う事が難しくなってしまう。
【０００６】
本発明はこのような事情に鑑みてなされたものであって、装置構成を複雑化することなく、正確なタッチ判定を可能とした、電気光学装置、及び電子機器を提供することを目的としている。
【課題を解決するための手段】
【０００７】
本発明の電気光学装置は、基板上にマトリクス状に配置された複数の画素からなる表示部と、前記表示部に少なくとも一次元配列された光検出装置と、該光検出装置が検出した光強度の微分値を所定の閾値と比較することにより、前記表示部がタッチされたか否かを判定するタッチ判定手段と、を備えたことを特徴とする。
【０００８】
本発明の電気光学装置によれば、タッチ判定手段が光強度の微分値に基づき、タッチ判定される被対象物が表示部に近づくに従って基板上で鮮明となる陰影のエッジ部分を検出することができるので、例えば外光や迷光などの外的要因によって基板上に生じた陰影により正確なタッチ判定が行えないといった不具合を防止することができる。また、表示部内に迷光を抑制するための障壁を設ける必要が無い。したがって、装置構成を複雑にすることなく、正確なタッチ判定を行うことのできる信頼性の高いものとなる。
【０００９】
また、上記電気光学装置においては、前記タッチ判定手段は、前記光検出装置が検出した光強度の絶対値に基づいて前記所定の閾値を調整し、前記微分値と調整後の閾値とを比較することで前記タッチ判定を行うのが好ましい。
この構成によれば、例えば外部環境が暗い、すなわち陰影のエッジが小さくなる場合に閾値の幅を小さく調整することにより良好なタッチ判定を行うことができる。
このとき、前記タッチ判定手段は、前記光強度の微分値及び絶対値の少なくとも一方におけるピーク検出座標が所定範囲内に収まっている場合にタッチが行われたと判定するのがより好ましい。
例えばタッチ入力の手段として人間の指を想定した場合、指によって生じた影による光強度の極小座標（ピーク検出座標）、及び光強度の微分値のピーク検出座標の範囲が指の太さを越えるような場合はない。したがって、本構成によれば、光強度の微分値及び絶対値の検出領域（座標領域）を制限することで、タッチの誤検出をさらに低減することができる。
【００１０】
また、上記電気光学装置においては、前記光検出装置は、前記表示部に二次元配列された状態に設けられるのが好ましい。
この構成によれば、二次元配列された光検出装置を備えているので、タッチ判定の精度をより高めることができる。
【００１１】
また、上記電気光学装置においては、前記タッチ判定手段は、光強度の微分値から得た二次元データをメモリに取り込み、該二次元データに基づいて前記タッチ判定を行うのが好ましい。
この構成によれば、光強度の微分値データを二次元化しているので、例えばタッチ判定手段に詳細な判定アルゴリズムを設定でき、タッチ判定の精度を高めることができる。
【００１２】
また、上記電気光学装置においては、前記タッチ判定手段は、隣接して配置された光検出装置の出力値の差分を出力する増幅器と、差分出力値と当該タッチ判定手段に保持された所定値とを比較する比較器とを備え、該比較器の出力に基づいてタッチ判定を行うのが好ましい。この構成によれば、光検出装置からの微分値を直接演算することで、Ａ／Ｄコンバータなどの複雑な回路を用いることなく、簡便な構成によりタッチ判定を行うことが可能となる。
このとき、前記光検出装置は、前記表示部に二次元配列されていてもよい。この構成によれば、二次元配列された光検出装置を備えているので、タッチ判定の精度をより高めることができる。
さらに、前記タッチ判定手段は、前記比較器の出力値が前記二次元方向の両側にて所定値を超えた場合に、タッチが行われたと判定するのがより好ましい。
この場合、二次元方向における微分値を比較しているので、タッチ判定時における誤検出を低減させることができる。
【００１３】
本発明の電子機器は、上記の電気光学装置を備えたことを特徴とする。
【００１４】
本発明の電子機器によれば、正確なタッチ判定を可能とする電気光学装置を備えているので、信頼性が高く、高性能なものとなる。
【発明を実施するための最良の形態】
【００１５】
以下、本発明の一実施形態について図面を参照して説明する。なお、以下に説明する実施形態は、本発明の一部の態様を示すものであり、本発明を限定するものではない。また、以下の説明に用いる各図面では、各層や各部材を図面上で認識可能な程度の大きさとする。
【００１６】
（電気光学装置）
本発明の電気光学装置の一実施形態として、液晶装置の例を挙げて説明する。本実施形態の液晶装置はアクティブマトリクス方式の液晶パネルであって、ＴＦＴアレイ基板と対向基板との間に液晶層を挟持したものである。
【００１７】
（液晶装置）
図１は、本実施形態に係る液晶装置の構成を示す図である。図１（ａ）は、同液晶装置の平面構成図、図１（ｂ）は図１（ａ）のＨ−Ｈ’線に沿う断面構成図である。
【００１８】
図１（ａ）及び図１（ｂ）に示すように、本実施形態の液晶装置１００は、ＴＦＴアレイ基板（アクティブマトリクス基板）１０と、対向基板２０とが平面視略矩形枠状のシール材２５を介して貼り合わされ、このシール材２５に囲まれた領域内に液晶層５０が封入された構成になっている。液晶層５０としては、例えば正の誘電率異方性を有する液晶材料が用いられている。シール材２５の一部（図中下辺側）に液晶注入口３５が形成されており、当該液晶注入口３５を塞ぐように封止材３４が形成されている。シール材２５内周側に沿って平面視矩形枠状の周辺見切り３３が形成され、この周辺見切りの内側の領域が画素表示領域（表示部）１１となっている。
【００１９】
画素表示領域１１内には、複数の画素１２がマトリクス状に設けられている。当該画素１２は、画素表示領域１１の最小表示単位となる１画素を構成している。シール材２５の外側の領域には、データ線駆動回路１０１及び外部回路実装端子１０２がＴＦＴアレイ基板１０の１辺（図示下辺）に沿って形成されており、この１辺に隣接する２辺に沿ってそれぞれ走査線駆動回路１０４が形成されて周辺回路を構成している。
【００２０】
ＴＦＴアレイ基板１０の残る１辺（図示上辺）には、画素表示領域１１の両側の走査線駆動回路１０４間を接続する複数の配線１０５が設けられている。また、対向基板２０の各角部においては、ＴＦＴアレイ基板１０と対向基板２０との間の電気的導通をとるための基板間導通材１０６が配設されている。本実施形態の液晶装置１００は、透過型の液晶装置として構成され、ＴＦＴアレイ基板１０側に配置された光源（図示略）からの光を変調し、対向基板２０側から画像光として射出するようになっている。
【００２１】
図１（ｂ）に示すように、ＴＦＴアレイ基板１０の内面側（液晶層側）には、複数の画素電極９が配列形成されており、これら画素電極９を覆うように配向膜１６が形成されている。なお、ＴＦＴアレイ基板１０は、例えば石英やガラスなどの光透過可能な材料からなる矩形の基板である。対向基板２０の内面側には、周辺見切り３３が形成され、その上に平面ベタ状の共通電極２１が形成されている。そして、共通電極２１を覆うように配向膜２２が形成されている。更に、ＴＦＴアレイ基板１０および対向基板２０の外面側（液晶層とは反対側）には、図示しない偏光子がそれぞれ貼り付けられている。
【００２２】
図２は、上記の液晶装置１００の等価回路図である。
同図に示すように、液晶装置の画素表示領域１１には、複数の画素１２がマトリクス状に配置されており、これら画素１２には、それぞれ画素電極９が配置されている。また、その画素電極９の側方にはＴＦＴ３０が形成されている。ＴＦＴ３０は、該画素電極９への通電制御を行うスイッチング素子である。このＴＦＴ３０のソース側にはデータ線６が接続されている。各データ線６には、例えばデータ線駆動素子から画像信号Ｓ１、Ｓ２、…、Ｓｎが供給されるようになっている。
【００２３】
ＴＦＴ３０のゲート側には走査線３が接続されている。走査線３には、例えば走査線駆動素子から所定のタイミングでパルス的に走査信号Ｇ１、Ｇ２、…、Ｇｍが供給されるようになっている。また、ＴＦＴ３０のドレイン側には画素電極９が接続されている。
【００２４】
走査線３から供給された走査信号Ｇ１、Ｇ２、…、Ｇｍにより、スイッチング素子であるＴＦＴ３０が一定期間だけオンにされると、データ線６から供給された画像信号Ｓ１、Ｓ２、…、Ｓｎが、画素電極９を介して画素１２に所定のタイミングで書き込まれるようになっている。
【００２５】
画素１２に書き込まれた所定レベルの画像信号Ｓ１、Ｓ２、…、Ｓｎは、画素電極９と後述する共通電極との間に形成される液晶容量で一定期間保持される。なお、保持された画像信号Ｓ１、Ｓ２、…、Ｓｎがリークするのを防止するため、画素電極９と容量線３００との間に蓄積容量７０が形成され、液晶容量と並列に配置されている。このように、液晶に電圧信号が印加されると、印加された電圧レベルにより液晶分子の配向状態が変化する。これにより、液晶に入射した光源光が変調されて、画像光が生成されるようになっている。
【００２６】
（タッチパネル構造）
本実施形態に係る液晶装置１００は、画素表示領域１１に少なくとも一次配列された状態に設けられた光検出装置と、該光検出装置の検出結果に基づいて、前記画素表示領域１１がタッチされたか否かを判定するタッチ判定手段とを備えている。すなわち、本実施形態の液晶装置１００は、所謂タッチパネル構造を備えたものとなっており、前記画素表示領域１１に表示したボタン（アイコン）にユーザの指先がタッチされたか否かを検出することで、液晶装置１００を駆動する際に要求されるデータの入力を直接行うことが可能なものとなっている。
【００２７】
図３は、液晶装置１００におけるタッチパネル機能を説明する模式図である。図３（ａ）はタッチパネル機能をなす画素表示領域１１の平面図を示し、図３（ｂ）は図３（ａ）におけるラインＣ上に光検出装置４０を一次元配列した例を示した図である。
【００２８】
図３（ａ）に示すように、液晶装置１００の画素表示領域１１には光検出装置４０が２次元配列された状態に設けられている。これにより、画素表示領域１１の全域に亘り、タッチによるデータ入力が可能となっている。ここで、２次元配列とは、光検出装置４０が前記画素表示領域１１の縦方向、及び横方向にそれぞれ均等な間隔で配置されることを意味しており、縦方向は前記データ線６の延在方向に対応しており、横方向は前記走査線３の延在方向に対応するものである。
【００２９】
また、本実施形態では、前記光検出装置４０としてフォトダイオードから構成されたものを採用した。なお、前記光検出装置４０は、フォトダイオードに限定されることはなく、ＣｄＳ（cadmium sulfide）、ＣＭＯＳ（Complementary Metal-Oxide Semiconductor）等の光を検出可能な種々の構成を採用することができる。
【００３０】
なお、前記光検出装置４０は、各画素１２にそれぞれ設ける必要はない。すなわち、隣接する光検出装置４０の間隔がタッチ判定される被対象物、例えば人間の指の幅よりも小さくなっていればよい。また、光検出装置４０は、前記画素表示領域１１の全域に配置する必要はない。例えばタッチ判定を行うボタン（アイコン）Ｇ１の位置が画素表示領域１１の所定の場所に固定されている場合には、図３（ｂ）に示すように、ボタンの略中心部を通るライン上に光検出装置を一次元配列（ライン状）すればよい。また、光検出装置４０は、ユーザの指により外光を遮断された場合、或いは指先によって反射された光を検出する場合のいずれにおいても、陰影関係を逆転させることで対応することができる。
【００３１】
前記光検出装置４０は、ユーザの指の接触によるフォトカレント（光強度）の変化を読み取る。具体的には、走査線３の延在方向に配置された光検出装置４０から各位置における光強度を測定する。
【００３２】
前記光検出装置４０には、縦方向および横方向の双方の光検出装置４０を駆動させる走査駆動回路（図示せず）が設けられており、選択トランジスタのＯＮ／ＯＦＦを切り替えることで走査し、これによって各光検出装置４０に対応する位置の光強度を検出することができる。
【００３３】
図４は、液晶装置１００における特にＴＦＴアレイ基板１０における側部断面構造を示す図であり、図３（ａ）における一つの光検出装置４０に対応する断面図である。図４に示すように、液晶装置１００は、前記光検出装置４０が検出した光強度の微分値を所定の閾値と比較することにより、前記画素表示領域１１に表示された所定領域（アイコン）がタッチされたか否かを判定するタッチ判定手段４５を備えている。このタッチ判定手段４５は例えば半導体装置などから構成されたものである。
【００３４】
タッチ判定される被対象物（ユーザの指）が液晶パネル（液晶装置）の表面に近づくにつれて、図５に示すようにその陰影がより鮮明となる。すなわち、パネル表面に指が近づくと、パネル上に陰ができる。このとき、上記走査線駆動回路を用いて光検出装置４０を駆動させる。このとき、同図中点線Ｃ（図３（ａ）のラインＣ）上に配設された光検出装置４０から光強度分布のグラフが得られる。この光強度分布は各光検出装置４０が得た光強度（フォトカレント）の値をプロットすることで形成され、点線Ｃに対応する光強度分布を示している。したがって、前記光検出装置４０を配置する間隔を小さくする、すなわち光検出装置４０を画素表示領域１１上によりたくさん配置することで前記光強度分布のグラフの精度を高めることができる。
【００３５】
本実施形態に係る液晶装置１００は、前記タッチ判定手段４５が光強度分布曲線の微分値を算出している。そして、光強度の微分値を当該タッチ判定手段４５に保持されている閾値と比較する。このとき、光強度の微分値が前記閾値よりも大きくなった場合に、ユーザの指がパネルにタッチしたと判定される。
【００３６】
具体的に本実施形態では、図５（ａ），（ｂ），（ｃ）に示すように、光強度の微分値から二次元データを作成し、強度分布の微分波形（２次元波形）のグラフを形成している。光強度の微分値から得た二次元データはメモリに取り込まれ、該二次元データに基づいてタッチ判定が行われる。このように、光強度の微分値データを二次元化することで、タッチ判定手段に詳細な判定アルゴリズムを設定でき、タッチ判定の精度を高めることができる。なお、図５（ａ），（ｂ），（ｃ）においては、画素表示領域１１と指との距離が次第に近づき、図５（ｃ）は指がパネルにタッチした状態を示している。
【００３７】
図５（ａ）〜（ｃ）に示すように、指が近づくにつれて、パネル（液晶装置１００）上に現れる陰影が明確となる。図５（ｃ）に示すように、指がタッチ（接触）した場合には、陰影の境界（エッジ）がパネル上に明確に現れる。すなわち、前記境界において微分値（傾き）が大きくなる。一方、外光などによってパネル上に陰が生じた場合には、実際に指が接触した場合に比べて、陰影の境界が明確とはならない。したがって、微分値のピーク値に基づいてタッチ判定を行うことにより、例えば指先がパネルにタッチ（接触）した状態、すなわち陰影のエッジ部分が鮮明に検出された場合のみを確実に判別することが可能となるのである。
【００３８】
なお、図５（ｃ）中、符号Ｒで示される幅は、微分値の設定レベルとなっている。ここで、微分値の設定レベルとは、例えば液晶装置（パネル）の表面と光検出装置４０との間の距離、或いは画素表示領域１１に配置された隣接する光検出装置４０間の距離によって規定される。
【００３９】
また、図５（ａ）の状態では、指が液晶パネルから離れているため、従来のように光強度の絶対値のみを検出している場合でもタッチの誤判定をすることがすくない。しかしながら、図５（ｂ）に示したように、より指がパネルに近づいた状態になった場合、光強度の絶対値のみを測定するのみでは外部環境の明暗状態によってはパネルにタッチされていると誤認するおそれがある。したがって、本実施形態に係る液晶装置１００によれば、上述したように微分波形に基づいてタッチ判定を行うことで、特に例えば外光や迷光などの外的要因によって正確なタッチ判定が難しくなる図５（ｂ）に示すような状況下において特に効果的なものとなる。
【００４０】
なお、上記説明では、図３（ｂ）に示したＣ線上における光強度分布、微分波形を例示したが、図３（ａ）に示したように画素表示領域１１のラインＡ、ラインＢ、ラインＤに配置された各光検出装置４０を走査し、同様に微分波形に基づきタッチ判定を行っている。また、データ線６に沿うラインＡ´、ラインＢ´、ラインＣ´、ラインＤ´、ラインＥ´に対応する光検出装置４０を走査し、同様に得た微分波形に基づいてタッチ判定を行っても良く、これにより精度の高いタッチ判定を行うことができる。
【００４１】
また、本実施形態に係る液晶装置１００では、光強度の微分値に加え、光強度の絶対値も判断基準としている。そして、前記光検出装置４０が検出した光強度の絶対値に基づき、タッチ判定手段４５が保持する上記閾値を調整し、前記微分値と調整後の閾値とを比較することにより、前記タッチ判定を行っている。この構成によれば、例えば外部環境が暗い場合には閾値の幅を狭めることで、良好なタッチ判定が可能となる。
【００４２】
また、前記タッチ判定手段４５は、前記光強度の微分値及び絶対値の少なくとも一方におけるピーク検出座標が所定範囲内に収まっている場合にタッチが行われたと判定している。例えば、図６に示される強度分布は、微分波形のピーク値を検出するピーク検出座標の間隔が離れた状態となる。本実施形態では、タッチ入力の手段として人間の指を想定しているので、光強度の絶対値におけるピーク検出座標（極小座標）、及び微分値のピーク検出座標の範囲が指の太さを越えることがない。したがって、図６に示したような場合には、タッチ判定手段４５はタッチ判定を行うことがなく、タッチの誤検出をさらに低減することができる。
【００４３】
（変形例）
次に、液晶装置１００の変形例について説明する。図７は本変形例に係るタッチ判定手段４５の概略図を示すものである。本変形例に係るタッチ判定手段は、隣接して配置された光検出装置４０の出力値（ラインＡおよびラインＢからの微分値）の差分を出力する差動増幅器（増幅器）４６と、差分出力値と当該タッチ判定手段４５に保持された所定値とを比較する比較器４７とを備え、該比較器４７の出力に基づいて前記タッチ判定手段がタッチ判定を行うようになっている。
【００４４】
この構成によれば、光検出装置４０からアナログデータ（微分値）を直接演算しているので、微分値の二次元データ（デジタルデータ）をメモリに保持する上記実施形態のようなＡ／Ｄコンバータなどの複雑な回路を用いることなく、簡便な構成によりタッチ判定を行うことが可能となる。
【００４５】
なお、前記光検出装置４０は、上記実施形態と同様に２次元配列されたものとなっている。また、本変形例においても、前記比較器４７の出力値が二次元方向（走査線方向、データ線方向）の両側にて所定値を超えた場合に、タッチが行われたと判定するのが望ましい。これにより、上記実施形態と同様にタッチ判定時における誤検出を低減させることができる。
【００４６】
また、上記各実施形態では、電気光学装置として液晶装置（液晶パネル）を例に挙げて説明したが、これに限られることは無く、他のタッチパネルを採用した電気光学装置、例えば有機ＥＬ装置や、無機ＥＬ装置、プラズマディスプレイ装置、電気泳動ディスプレイ装置、フィールドエミッションディスプレイ装置等においても、本発明の適用が可能である。
【００４７】
（電子機器）
次に、本発明に係る電子機器について、携帯電話を例に挙げて説明する。
図８は、携帯電話６００の全体構成を示す斜視図である。
携帯電話６００は、筺体６０１、複数の操作ボタンが設けられた操作部６０２、画像や動画、文字等を表示する表示部６０３を有する。表示部６０３には、本発明に係る液晶装置１００が搭載される。このように、正確なタッチ判定を可能とする液晶装置１００を備えているので、表示部６０３からのタッチ入力を可能とする高性能なものとなる。
【００４８】
なお、電子機器としては、上記携帯電話６００以外にも、タッチパネル装置を必要とするような、マルチメディア対応のパーソナルコンピュータ（ＰＣ）、およびエンジニアリング・ワークステーション（ＥＷＳ）、ページャ、あるいは携帯電話、ワードプロセッサ、テレビ、ビューファインダ型またはモニタ直視型のビデオテープレコーダ、電子手帳、電子卓上計算機、カーナビゲーション装置、ＰＯＳ端末などを挙げることができる。
【図面の簡単な説明】
【００４９】
【図１】液晶装置の構成を示す、（ａ）は平面図、（ｂ）は断面図である。
【図２】液晶装置の等価回路図である。
【図３】液晶装置におけるタッチパネル機能を説明する模式図である。
【図４】ＴＦＴアレイ基板における側部断面構造である。
【図５】タッチ判定手段を説明するための図である。
【図６】タッチ判定手段がタッチ判定を行わない微分波形を示した図である。
【図７】タッチ判定手段の変形例に係る概略構成を示す図である。
【図８】電子機器の一実施形態に係る携帯電話の構成を示す図である。
【符号の説明】
【００５０】
１０…ＴＦＴアレイ基板（基板）、１１…画素表示領域（表示部）、１２…画素、４０…光検出装置、４５…タッチ判定手段、４６…差動増幅器（増幅器）、４７…比較器、１００…液晶装置（電気光学装置）、６００…携帯電話（電子機器）
【図１】
2008146203.tif 000003
【図２】
2008146203.tif 000004
【図３】
2008146203.tif 000005
【図４】
2008146203.tif 000006
【図５】
2008146203.tif 000007
【図６】
2008146203.tif 000008
【図７】
2008146203.tif 000009
【図８】
2008146203.tif 000010